(57)【要約】【課題】空気通路を開閉する膜状部材への巻き癖（転写）の発生を抑制する。【解決手段】送風空気が流れる空気通路を形成するケース１ａ内に配置され、空気通路の開口部１３ａ、１５ａを開閉する膜状部材１６、２２と、開口部１３ａ、１５ａの周縁部に膜状部材１６、２２の一端部を固定する固定部１７、２３と、膜状部材１６、２２の他端部に連結され、膜状部材１６、２２の巻き取り、送り出しを行う巻き取り軸１８、２４と、巻き取り軸１８、２４を開口部１３ａ、１５ａ上で回転させながら固定部１７、２３に対して離間、接近する方向に移動させる巻き取り軸駆動機構１９、２５と、巻き取り軸駆動機構１９、２５を制御する制御手段３１とを備え、制御手段３１が、空気通路への送風が停止したときに巻き取り軸駆動機構１９、２５を膜状部材１６、２２の引き延ばし方向に操作する。【選択図】図６
2007118752.tif 000002
【特許請求の範囲】
【請求項１】
送風空気が流れる空気通路（２、１１、２１、２７）と、
前記空気通路（２、１１、２１、２７）を形成するケース（１ａ）と、
前記ケース（１ａ）内に配置され、前記空気通路（２、１１、２１、２７）の開口部（１３ａ、１５ａ）を開閉する膜状部材（１６、２２）と、
前記開口部（１３ａ、１５ａ）の周縁部に前記膜状部材（１６、２２）の一端部を固定する固定部（１７、２３）と、
前記膜状部材（１６、２２）の他端部に連結され、前記膜状部材（１６、２２）の巻き取り、送り出しを行う巻き取り軸（１８、２４）と、前記巻き取り軸（１８、２４）を前記開口部（１３ａ、１５ａ）上で回転させながら前記固定部（１７、２３）に対して離間、接近する方向に移動させる巻き取り軸駆動機構（１９、２５）と、
前記巻き取り軸駆動機構（１９、２５）を制御する制御手段（３１）とを備え、
前記制御手段（３１）が、前記空気通路（２、１１、２１、２７）への送風が停止したときに、前記巻き取り軸駆動機構（１９、２５）を前記膜状部材（１６、２２）の引き延ばし方向に操作することを特徴とする空気通路開閉装置。
【請求項２】
請求項１に記載の空気通路開閉装置と、
前記送風空気を発生する送風機（１ｄ）とを備え、
前記開口部（１３ａ、１５ａ）は車室内へ向かって空気が流れる空気通路に形成されるものであり、
前記膜状部材（１６、２２）により車室内へ向かって流れる空気流れを制御するようになっており、
前記制御手段（３１）が、前記送風機（１ｄ）の停止に基づいて前記送風の停止を判定することを特徴とする車両用空調装置。
【請求項３】
送風空気が流れる空気通路（２、１１、２１、２７）と、
前記空気通路（２、１１、２１、２７）を形成するケース（１ａ）と、
前記ケース（１ａ）内に配置され、前記空気通路（２、１１、２１、２７）の開口部（１３ａ、１５ａ）を開閉する膜状部材（１６、２２）と、
前記開口部（１３ａ、１５ａ）の周縁部に前記膜状部材（１６、２２）の一端部を固定する固定部（１７、２３）と、
前記膜状部材（１６、２２）の他端部に連結され、前記膜状部材（１６、２２）の巻き取り、送り出しを行う巻き取り軸（１８、２４）と、前記巻き取り軸（１８、２４）を前記開口部（１３ａ、１５ａ）上で回転させながら前記固定部（１７、２３）に対して離間、接近する方向に移動させる巻き取り軸駆動機構（１９、２５）と、
前記巻き取り軸駆動機構（１９、２５）を制御する制御手段（３１）とを備え、
前記制御手段（３１）が、前記開口部（１３ａ、１５ａ）に空気を通過させる必要がなくなったときに、前記巻き取り軸駆動機構（１９、２５）を前記膜状部材（１６、２２）の引き延ばし方向に操作することを特徴とする空気通路開閉装置。
【請求項４】
請求項３に記載の空気通路開閉装置と、
前記送風空気を発生する送風機（１ｄ）とを備え、
前記開口部（１３ａ、１５ａ）は車室内へ向かって空気が流れる空気通路に形成されるものであり、
前記膜状部材（１６、２２）により車室内へ向かって流れる空気流れを制御するようになっており、
前記制御手段（３１）が、前記送風機（１ｄ）の停止に基づいて前記必要がなくなったことを判定することを特徴とする車両用空調装置。
【請求項５】
送風空気を発生する送風機（１ｄ）と、
車室内へ向かって前記送風空気が流れる空気通路（２、１１、２１、２７）と、
前記空気通路（２、１１、２１、２７）を形成するケース（１ａ）と、
前記ケース（１ａ）内に配置され、前記空気通路（２、１１、２１、２７）の開口部（１３ａ、１５ａ）を開閉する膜状部材（１６、２２）と、
前記開口部（１３ａ、１５ａ）の周縁部に前記膜状部材（１６、２２）の一端部を固定する固定部（１７、２３）と、
前記膜状部材（１６、２２）の他端部に連結され、前記膜状部材（１６、２２）の巻き取り、送り出しを行う巻き取り軸（１８、２４）と、前記巻き取り軸（１８、２４）を前記開口部（１３ａ、１５ａ）上で回転させながら前記固定部（１７、２３）に対して離間、接近する方向に移動させる巻き取り軸駆動機構（１９、２５）と、
前記送風機（１ｄ）と前記巻き取り軸駆動機構（１９、２５）とを制御する制御手段（３１）とを備え、
前記制御手段（３１）が、車両エンジンが停止したときに、前記送風機（１ｄ）を停止するとともに、前記巻き取り軸駆動機構（１９、２５）を前記膜状部材（１６、２２）の引き延ばし方向に操作することを特徴とする車両用空調装置。
【請求項６】
前記巻き取り軸駆動機構（１９、２５）は、車両に搭載されるバッテリから電源供給を受けて前記巻き取り軸（１８、２４）を移動させるようになっており、
前記制御手段（３１）が、前記車両エンジンが停止したとき、かつ、前記バッテリの電圧が所定値以上であるときに、前記巻き取り軸駆動機構（１９、２５）を前記膜状部材（１６、２２）の引き延ばし方向に操作することを特徴とする請求項５に記載の車両用空調装置。
【発明の詳細な説明】
【技術分野】
【０００１】
本発明は膜状部材（フィルムドア）によって空気通路を開閉する空気通路開閉装置及びそれを用いた車両用空調装置に関するものである。
【背景技術】
【０００２】
従来、この種の膜状部材によって空気通路を開閉する空気通路開閉装置が特許文献１にて提案されている。
【０００３】
この特許文献１の従来技術では、膜状部材の一端側を開口部の周縁部に固定するとともに、膜状部材の他端側を巻き取り軸に連結し、この巻き取り軸が回転しながら膜状部材の一端側（膜状部材が固定された側）に対して離間または接近する方向に移動することによって、膜状部材の巻き取り、送り出しを行っている。
【０００４】
そして、膜状部材が全て巻き取られると開口部が全開し、膜状部材が全て送り出される（引き延ばされる）と開口部が全閉するようになっている。
【０００５】
ところで、この従来技術では、送風停止時に膜状部材の一端側が巻き取り軸に巻き取られた状態で放置されるようになっている。このため、ヒータコアの予熱や周囲の温度変化等によって膜状部材に巻き癖（転写）が発生する。
【０００６】
この巻き癖が発生すると、巻き取り軸から膜状部材を全て送り出して開口部を全閉したときに、膜状部材は巻き癖によって開口部周縁のシール面から凸状に浮き上がる浮き上がり部分を形成する。
【０００７】
この凸状の浮き上がり部分とシール面との間に隙間が生じると、この隙間を空気が通過して開口部内へ空気が流れ込み、空気洩れが生じてしまう。また、膜状部材の浮き上がり部分が風圧により自励振動を起こして異音が発生してしまう。
【０００８】
そこで、この従来技術では、膜状部材の巻き癖によって発生する浮き上がり部分の凸方向と同方向に凸となる湾曲形状を開口部周縁のシール面に形成して、膜状部材の巻き癖による浮き上がり部分と、シール面との間の隙間を低減するようになっている。
【特許文献１】特開２００４−２３１１５６号公報
【発明の開示】
【発明が解決しようとする課題】
【０００９】
しかしながら、上記特許文献１の従来技術では、巻き取り軸をシール面の湾曲形状に沿って移動させなければならないので、巻き取り軸の駆動機構が複雑になってしまうという問題がある。
【００１０】
本発明は、上記点に鑑み、ケースに設けられた開口部を膜状部材によって開閉する空気通路開閉装置において、膜状部材への巻き癖（転写）の発生を抑制することによって膜状部材とシール面との間の隙間を低減し、空気洩れや異音の発生という不具合を回避することを目的とする。
【課題を解決するための手段】
【００１１】
上記目的を達成するため、本発明は、送風空気が流れる空気通路（２、１１、２１、２７）と、
空気通路（２、１１、２１、２７）を形成するケース（１ａ）と、
ケース（１ａ）内に配置され、空気通路（２、１１、２１、２７）の開口部（１３ａ、１５ａ）を開閉する膜状部材（１６、２２）と、
開口部（１３ａ、１５ａ）の周縁部に膜状部材（１６、２２）の一端部を固定する固定部（１７、２３）と、
膜状部材（１６、２２）の他端部に連結され、膜状部材（１６、２２）の巻き取り、送り出しを行う巻き取り軸（１８、２４）と、巻き取り軸（１８、２４）を開口部（１３ａ、１５ａ）上で回転させながら固定部（１７、２３）に対して離間、接近する方向に移動させる巻き取り軸駆動機構（１９、２５）と、
巻き取り軸駆動機構（１９、２５）を制御する制御手段（３１）とを備え、
制御手段（３１）が、空気通路（２、１１、２１、２７）への送風が停止したときに、巻き取り軸駆動機構（１９、２５）を膜状部材（１６、２２）の引き延ばし方向に操作することを第１の特徴とする。
【００１２】
これによると、空気通路（２、１１、２１、２７）への送風が停止したときに、制御手段（３１）が膜状部材（１６、２２）を引き延ばすので、開口部（１３ａ、１５ａ）を開閉する必要がないときに膜状部材（１６、２２）が巻き取り状態で長時間放置されることを回避することができる。
【００１３】
このため、膜状部材（１６、２２）に巻き癖が発生することを抑制できるので、開口部（１３ａ、１５ａ）を全閉したときに、膜状部材（１６、２２）が巻き癖によって開口部（１３ａ、１５ａ）周縁部から凸状に浮き上がることを抑制できる。この結果、空気洩れや異音の発生という不具合を回避することができる。
【００１４】
また、本発明の車両用空調装置は、上述した本発明による空気通路開閉装置と、
送風空気を発生する送風機（１ｄ）とを備え、
開口部（１３ａ、１５ａ）は車室内へ向かって空気が流れる空気通路に形成されるものであり、
膜状部材（１６、２２）により車室内へ向かって流れる空気流れを制御するようになっており、
制御手段（３１）が、送風機（１ｄ）の停止に基づいて送風の停止を判定するようになっている。
【００１５】
これにより、空気通路の開口部（１３ａ、１５ａ）を膜状部材（１６、２２）によって開閉する車両用空調装置において、送風機（１ｄ）が停止したとき、換言すれば、開口部（１３ａ、１５ａ）を開閉する必要がなくなったときに膜状部材（１６、２２）が巻き取り状態で長時間放置されることを回避することができる。
【００１６】
また、本発明は、送風空気が流れる空気通路（２、１１、２１、２７）と、
空気通路（２、１１、２１、２７）を形成するケース（１ａ）と、
ケース（１ａ）内に配置され、空気通路（２、１１、２１、２７）の開口部（１３ａ、１５ａ）を開閉する膜状部材（１６、２２）と、
開口部（１３ａ、１５ａ）の周縁部に膜状部材（１６、２２）の一端部を固定する固定部（１７、２３）と、
膜状部材（１６、２２）の他端部に連結され、膜状部材（１６、２２）の巻き取り、送り出しを行う巻き取り軸（１８、２４）と、巻き取り軸（１８、２４）を開口部（１３ａ、１５ａ）上で回転させながら固定部（１７、２３）に対して離間、接近する方向に移動させる巻き取り軸駆動機構（１９、２５）と、
巻き取り軸駆動機構（１９、２５）を制御する制御手段（３１）とを備え、
制御手段（３１）が、開口部（１３ａ、１５ａ）に空気を通過させる必要がなくなったときに、巻き取り軸駆動機構（１９、２５）を膜状部材（１６、２２）の引き延ばし方向に操作することを第２の特徴とする。
【００１７】
これによると、開口部（１３ａ、１５ａ）に空気を通過させる必要がなくなったときに制御手段（３１）が膜状部材（１６、２２）を引き延ばすので、空気通路（２、１１、２１、２７）への送風が停止したときのみならず、空気通路（２、１１、２１、２７）へ送風されているときであっても、開口部（１３ａ、１５ａ）を開けておく必要がないときに、膜状部材（１６、２２）が巻き取り状態で長時間放置されることを回避することができる。
【００１８】
また、本発明の車両用空調装置は、上述した本発明による空気通路開閉装置と、
送風空気を発生する送風機（１ｄ）とを備え、
開口部（１３ａ、１５ａ）は車室内へ向かって空気が流れる空気通路に形成されるものであり、
膜状部材（１６、２２）により車室内へ向かって流れる空気流れを制御するようになっており、
制御手段（３１）が、送風機（１ｄ）の停止に基づいて必要がなくなったことを判定するようになっている。
【００１９】
これにより、空気通路の開口部（１３ａ、１５ａ）を膜状部材（１６、２２）によって開閉する車両用空調装置において、送風機（１ｄ）が停止したとき、換言すれば、開口部（１３ａ、１５ａ）を開閉する必要がなくなったときに膜状部材（１６、２２）が巻き取り状態で長時間放置されることを回避することができる。
【００２０】
また、本発明は、送風空気を発生する送風機（１ｄ）と、
車室内へ向かって送風空気が流れる空気通路（２、１１、２１、２７）と、
空気通路（２、１１、２１、２７）を形成するケース（１ａ）と、
ケース（１ａ）内に配置され、空気通路（２、１１、２１、２７）の開口部（１３ａ、１５ａ）を開閉する膜状部材（１６、２２）と、
開口部（１３ａ、１５ａ）の周縁部に膜状部材（１６、２２）の一端部を固定する固定部（１７、２３）と、
膜状部材（１６、２２）の他端部に連結され、膜状部材（１６、２２）の巻き取り、送り出しを行う巻き取り軸（１８、２４）と、巻き取り軸（１８、２４）を開口部（１３ａ、１５ａ）上で回転させながら固定部（１７、２３）に対して離間、接近する方向に移動させる巻き取り軸駆動機構（１９、２５）と、
送風機（１ｄ）と巻き取り軸駆動機構（１９、２５）とを制御する制御手段（３１）とを備え、
制御手段（３１）が、車両エンジンが停止したときに、送風機（１ｄ）を停止するとともに、巻き取り軸駆動機構（１９、２５）を膜状部材（１６、２２）の引き延ばし方向に操作することを第３の特徴とする。
【００２１】
ところで、車両用空調装置においては、車両エンジンが作動している間、換言すれば、車両が使用されている間は、一旦送風が停止されても短時間後に再送風される場合がある。
【００２２】
このような場合、送風が停止されたときに膜状部材（１６、２２）を引き延ばしてしまうと、短時間後に再送風する場合には、膜状部材（１６、２２）を元の状態に巻き取らなければならないので、開口部（１３ａ、１５ａ）を所定の開度に戻すまでに時間がかかってしまう。
【００２３】
この点に鑑みて、車両エンジンが停止して送風機（１ｄ）を停止するときのみ、膜状部材（１６、２２）を引き延ばすので、車両エンジンが作動しているとき、換言すれば、車両が使用されているときは、送風機（１ｄ）が停止しても膜状部材（１６、２２）が引き延ばされない。
【００２４】
このため、短時間後に再送風する場合に、開口部（１３ａ、１５ａ）を所定の開度に戻すまでに時間がかかるという不都合を回避することができる。
【００２５】
また、本発明は、巻き取り軸駆動機構（１９、２５）は、車両に搭載されるバッテリから電源供給を受けて巻き取り軸（１８、２４）を移動させるようになっており、
制御手段（３１）が、車両エンジンが停止したとき、かつ、バッテリの電圧が所定値以上であるときに、巻き取り軸駆動機構（１９、２５）を膜状部材（１６、２２）の引き延ばし方向に操作するようになっている。
【００２６】
ところで、周知のように、車両エンジンが停止しているときは車両エンジンが発電を行わないので、バッテリが充電されない。このため、電力消費量が多い夏期等においては、車両エンジン停止時にバッテリの電圧が低下していることがある。
【００２７】
一方、巻き取り軸駆動機構（１９、２５）はバッテリから電源供給を受けるので、車両エンジンが停止してバッテリの電圧が低下しているときに巻き取り軸駆動機構（１９、２５）を操作すると、バッテリの電圧不足によって巻き取り軸駆動機構（１９、２５）の作動不良が発生することがある。
【００２８】
この点に鑑みて、車両エンジンが停止したとき、かつ、バッテリの電圧が所定値以上であるときのみ、制御手段（３１）が巻き取り軸駆動機構（１９、２５）を膜状部材（１６、２２）の引き延ばし方向に操作するので、バッテリの電圧不足による巻き取り軸駆動機構（１９、２５）の作動不良の発生を回避することができる。
【００２９】
なお、この欄および特許請求の範囲で記載した各手段の括弧内の符号は、後述する実施形態に記載の具体的手段との対応関係を示すものである。
【発明を実施するための最良の形態】
【００３０】
（第１実施形態）
以下、本発明の第１実施形態について図１〜図５に基づいて説明する。図１は本発明を車両用空調装置に適用した場合の全体構成を示しており、図２は図１におけるＡ−Ａ断面図を示している。
【００３１】
本実施形態における車両用空調装置の空調ユニット部１は、本出願人が先に出願した特願２００５−１９９９８８号と同一構成であるので、以下、その概要を説明する。
【００３２】
空調ユニット部１は、樹脂製の空調ケース１ａを有し、車両の車室内計器盤内側において車両幅（左右）方向の略中央部位に配置され、かつ車両の前後、上下、左右方向に対して図１、図２の矢印に示すように配置される。
【００３３】
空調ケース１ａ内部の最も車両前方側部位には、送風ユニット１ｂの送風空気が接続ダクト１ｃ（図２参照）を介して流入する空気入口空間２が形成されている。
【００３４】
この接続ダクト１ｃが空調ケース１ａの助手席側の面（車両右側の面）に配置され、車室内計器盤内側の助手席側に配置される送風ユニット１ｂの空気出口部が接続ダクト１ｃに接続される。
【００３５】
送風ユニット１ｂは内気と外気とを切り替えて導入し、内気と外気とを電動式送風機１ｄによって空調ケース１ａに向けて送風するものである。従って、送風ユニット１ｂ内の電動式送風機１ｄが作動することによって、接続ダクト１ｃから空気入口空間２内に空気（内気または外気）が流入する。
【００３６】
なお、送風ユニット１ｂは空気入口空間２の車両右側（図１の紙面裏側）に配置されるが、図１では、送風ユニット１ｂを模式的に示しており、図示の都合上、送風ユニット１ｂを空気入口空間２の車両前方側（図１の左方側）に図示している。
【００３７】
また、本例では、左ハンドル車に適用しているため、送風ユニット１ｂ及び接続ダクト１ｃが空調ケース１ａの車両右側の面に配置されているが、右ハンドル車に適用する場合には、送風ユニット１ｂ及び接続ダクト１ｃが空調ケース１ａの車両左側の面に配置される。
【００３８】
空調ケース１ａ内には、その空気上流側から順に蒸発器３、ヒータコア４が設けられている。この蒸発器３は周知の冷凍サイクルに設けられ、空調ケース１ａ内への送風空気から冷媒が吸熱して蒸発することにより送風空気を冷却する冷却用熱交換器である。また、ヒータコア４は、車両エンジンの温水（エンジン冷却水）を熱源として空調ケース１ａ内の空気を加熱する加熱用熱交換器である。
【００３９】
空調ケース１ａの空気下流端には複数の吹出開口部５〜１０が形成されている。このうち、デフロスタ開口部５は空調ケース１ａの上面部に配置される。このデフロスタ開口部５には図示しないデフロスタダクトが接続され、このデフロスタダクト先端部のデフロスタ吹出口から空調空気を車室内フロントガラス内面に向けて吹き出す。
【００４０】
前席側フェイス開口部６は空調ケース１ａの車両後方側の面の上部に配置される。この前席側フェイス開口部６には図示しない前席側フェイスダクトが接続され、このフェイスダクト先端部のフェイス吹出口から空調空気を前席（運転席および助手席）乗員の上半身に向けて吹き出す。
【００４１】
前席側フット開口部７は空調ケース１ａの車両後方側の面の上部の左右両側に配置される。この前席側フット開口部７には図示しない前席側フットダクトが接続され、前席（運転席および助手席）乗員の足元部に向けて空調空気を吹き出す。
【００４２】
後席側フェイス開口部８は、空調ケース１ａの車両後方側の面の下部に配置される。この後席側フェイス開口部８には図示しない後席側フェイスダクトが接続され、この後席側フェイスダクトを介して、車室中央下部に設けられた吹出口から空調空気を後席乗員の上半身に向けて吹き出す。
【００４３】
後席側フット開口部９は、空調ケース１ａの車両後方側の面の下部の左右両側に配置される。この後席側フット開口部９には図示しない後席側フットダクトが接続され、この後席側フットダクトを介して空調空気を後席乗員の足元部に向けて空調空気を吹き出す。
【００４４】
そして、Ｂピラー開口部１０が、空調ケース１ａの車両後方側の面の下部の左右両側に配置される。このＢピラー開口部１０には図示しないＢピラーダクトが接続され、このＢピラーダクトを介して、図示しないＢピラー（車室内空間を構成する柱のうち、側面から見て前から２番目の柱のこと）の中間部に設けられた吹出口から後席乗員の上半身に向けて空調風を吹き出す。
【００４５】
なお、本例では、上記開口部５〜１０は、図示しない吹出モードドアにより開閉されるようになっている。
【００４６】
図１および図２に示すように空調ケース１ａ内において、ヒータコア４の上方部には後述する冷風側通路開閉手段１２の構成部品の一部である冷風側開口パネル１３が設けられている。この冷風側開口パネル１３内には、冷風側開口部１３ａが開口している。
【００４７】
冷風側開口部１３ａは、ヒータコア４をバイパスして冷風が流れる冷風側通路１１を形成している。なお、冷風側通路開閉手段１２は、冷風側通路１１を通過する冷風の量を調整するものであり、詳細は後述する。
【００４８】
また、ヒータコア４の空気上流側には、後述する温風側通路開閉手段１４の構成部品の一部である温風側開口パネル１５が設けられている。この温風側開口パネル１５内には、温風側開口部１５ａが開口している。
【００４９】
温風側開口部１５ａは、ヒータコア４にて加熱される空気（温風）が流れる温風側通路２１を形成している。なお、温風側通路開閉手段１４は、温風側通路２１を通過する温風の量を調整するものであり、詳細は後述する。
【００５０】
温風側通路２１を通過した温風は、デフロスタ開口部５と、前席側フェイス開口部６と、前席側フット開口部７とに向かう温風Ｈ１と、後席側フェイス開口部８と、後席側フット開口部９と、Ｂピラー開口部１０とに向かう温風Ｈ２とに分かれる。
【００５１】
上記温風Ｈ１は、冷風側通路１１を通過した冷風と混合され所望温度の空調風となり、図示しないドア手段によって開閉されるデフロスタ開口部５、前席側フェイス開口部６及び前席側フット開口部７のいずれかから車室内に吹き出される。
【００５２】
即ち、冷風側通路開閉手段１２及び温風側通路開閉手段１４によって冷風側通路１１を通過した冷風と温風側通路２１を通過した温風との風量割合を調整して、車室内への吹出空気温度を調整することができる。
【００５３】
従って、冷風側通路開閉手段１２及び温風側通路開閉手段１４により車室内への吹出空気の温度調整手段が構成される。
【００５４】
また、ヒータコア４の下方には、後席側フェイス開口部８と後席側フット開口部９と、Ｂピラー開口部１０とに通じる後席側冷風バイパス流路２７が形成されている。この後席側冷風バイパス流路２７の空気流れ下流側には、後席側冷風バイパス流路２７を通過する冷風の量を調整する後席側エアミックスドア２８が設けられている。
【００５５】
上記温風Ｈ２は、後席側冷風バイパス流路２７を通過した冷風と、後席側エアミックスドア２８によって調整された割合で混合されて所望温度の空調風となり、図示しないドア手段によって開閉された後席側フェイス開口部８、後席側フット開口部９及び、Ｂピラー開口部１０のいずれかから車室内に吹き出される。
【００５６】
なお、本実施形態では、空調ケース１ａ内の空気通路を車両幅方向の中央部に位置する仕切り板２９によって仕切り、空調ケース１ａ内の運転席側の空気通路と助手席側の空気通路にそれぞれ、冷風側通路開閉手段１２と、温風側通路開閉手段１４とを独立に設けている。
【００５７】
そして、それぞれ運転席側と助手席側とに設けられた冷風側通路開閉手段１２及び温風側通路開閉手段１４を、運転席側と助手席側とでそれぞれ独立に操作することにより、運転席側の車室内に吹き出す空調風の温度と、助手席側の車室内に吹き出す空調風の温度を独立に調整できるようにしている。
【００５８】
冷風側通路開閉手段１２と温風側通路開閉手段１４は、運転席側と助手席側とで左右対称に構成されるので、図１では図示の簡略化のために、一方の冷風側通路開閉手段１２と、温風側通路開閉手段１４のみを図示した。
【００５９】
以下、図１および図３を用いて冷風側通路開閉手段１２及び温風側通路開閉手段１４について説明する。
【００６０】
図３は、冷風側通路開閉手段１２の単体を示した斜視図である。冷風側通路開閉手段１２は、冷風側開口パネル１３、冷風側膜状部材１６、冷風側固定シャフト１７、冷風側巻き取りシャフト１８、冷風側巻き取り軸駆動機構１９とにより構成される。
【００６１】
一方、温風側通路開閉手段１４は、温風側開口パネル１５、温風側膜状部材２２、温風側固定シャフト２３、温風側巻き取りシャフト２４、温風側巻き取り軸駆動機構２５とにより構成される。
【００６２】
温風側通路開閉手段１４は、冷風側通路開閉手段１２とほぼ同一構成であるので、図３中の括弧内に温風側通路開閉手段１４に対応する符号を付し、温風側通路開閉手段１４についての説明を省略する。
【００６３】
なお、冷風側固定シャフト１７及び温風側固定シャフト２３は本発明の固定部に該当し、冷風側巻き取りシャフト１８及び温風側巻き取りシャフト２４は本発明の巻き取り軸に該当し、冷風側巻き取り軸駆動機構１９及び温風側巻き取り軸駆動機構２５は本発明の巻き取り軸駆動機構に該当するものである。
【００６４】
冷風側開口パネル１３は、ヒータコア４の上方部において、空気流れ上流側に上端が傾斜するように配置されている。
【００６５】
冷風側膜状部材１６は、下端側が冷風側固定シャフト１７によって冷風側開口部１３ａの下方側周縁部に固定され、上端側が冷風側巻き取りシャフト１８に連結されている。
【００６６】
本例では、冷風側膜状部材１６の具体的材質として、冷風側巻き取りシャフト１８に巻き取り可能な可撓性を有する樹脂フィルム材を用いている。
【００６７】
冷風側巻き取り軸駆動機構１９は、冷風側巻き取りシャフト１８の両端側に設けられ、冷風側ラック１３ｂ、冷風側ピニオンギア２０、円筒状のレール部材１９ａ及びサーボモータ３０とにより構成される。
【００６８】
冷風側ラック１３ｂは、冷風側開口部１３ａの周縁部のうち上下方向に延びる周縁部に設けられる。冷風側ピニオンギア２０は、冷風側巻き取りシャフト１８の両端部に配置され、冷風側ラック１３ｂと噛み合うようになっている。
【００６９】
冷風側巻き取りシャフト１８の一端側は、冷風側ピニオンギア２０を貫通して突出することにより突出部１８ａを形成している。
【００７０】
冷風側巻き取りシャフト１８の一端側において、冷風側巻き取りシャフト１８と直交配置される円筒状のレール部材１９ａは、その端部がサーボモータ３０の回転軸に接続されて回転駆動されるものであり、外周面にらせん状の溝が形成されている。冷風側巻き取りシャフト１８の突出部１８ａは、レール部材１９ａのらせん状の溝に嵌合するようになっている。
【００７１】
これにより、レール部材１９ａの回転に伴って、突出部１８ａは、レール部材１９ａのらせん状の溝の壁面から矢印Ａの方向に押圧される。
【００７２】
突出部１８ａが矢印Ａの方向に押圧されると、冷風側ピニオンギア２０は冷風側ラック１３ｂと噛み合って回転しながら矢印Ａの方向へ移動する。このため、冷風側巻き取りシャフト１８が冷風側開口パネル１３と平行な平面に沿って矢印Ａの方向に回転移動する。
【００７３】
この冷風側巻き取りシャフト１８の回転移動によって、冷風側膜状部材１６を上方から巻き取り、送り出しを行なうことができ、冷風側開口パネル１３に設けられた冷風側開口部１３ａの開口面積を調整することができる。この結果、冷風側通路１１を通過する空気の量を調整することが可能である。
【００７４】
次に、本実施形態における電気制御部の要部を図４に基づいて説明する。空調用電子制御装置３１は、周知のごとくＣＰＵ、ＲＯＭ、ＲＡＭ等からなる周知のマイクロコンピュータと、その周辺回路にて構成されるものであり、本発明における制御手段に該当するものである。
【００７５】
空調用電子制御装置３１には、車室内の計器盤周辺に配置される空調操作パネル（図示せず）の操作部材３２〜３５を通じて乗員によって設定される各種設定信号が入力される。
【００７６】
具体的には、冷凍サイクルの圧縮機（図示せず）の作動信号を発生するエアコンスイッチ３２、空調自動制御状態の指令信号を出すオートスイッチ３３、送風機１ｄの作動信号と風量切替信号とを発生するブロワスイッチ３４、及び、温度設定信号Ｔｓｅｔを発生する温度設定スイッチ３５が設けられる。
【００７７】
空調操作パネルには、その他に、送風ユニット１ｂの内外気切替信号を発生する内外気切替スイッチ、吹出モード信号を発生する吹出モードスイッチ等が設けられ、これらのスイッチからの設定信号も空調用電子制御装置３１に入力されるようになっている。
【００７８】
また、空調用電子制御装置３１には、エンジンの始動および停止を司るイグニッションスイッチ３６からの信号が入力され、温水温度Ｔｗ、内気温Ｔｒ、外気温Ｔａｍ、日射量Ｔｓ等を検出する各センサ３７〜４０から検出信号が入力される。
【００７９】
空調用電子制御装置３１は、各センサ３７〜４０からの検出信号と温度設定スイッチ３５の温度設定信号Ｔｓｅｔとに基づいて運転席側、助手席側、後席側の３つの空調ゾーンへの目標吹出温度（ＴＡＯ）等をそれぞれ演算する。
【００８０】
そして、空調用電子制御装置３１は、目標吹出温度（ＴＡＯ）等に基づいて、冷風側通路開閉手段１２及び温風側通路開閉手段１４の各サーボモータ３０、及び、電動式送風機１ｄの送風ファンを駆動するブロワモータ４１をはじめ、後席側エアミックスドア２８、送風機１ｄ、圧縮機、吹出モードドア等を制御するようになっている。
【００８１】
なお、本例では、空調用電子制御装置３１が４つのサーボモータ３０、即ち、運転席側及び助手席側の冷風側通路開閉手段１２と運転席側及び助手席側の温風側通路開閉手段１４とにそれぞれ配置されるサーボモータ３０をそれぞれ制御するようになっている。
【００８２】
また、サーボモータ３０は、車載バッテリ（図示せず）から電源供給を受けるようになっている。
【００８３】
また、本例では、オートスイッチ３３がオンまたはブロワスイッチ３４がオンされたときに、送風機１ｄが起動するようになっており、ブロワスイッチ３４がオフまたは車両エンジンのイグニッションスイッチ３６がオフされたときに、送風機１ｄが停止するようになっている。
【００８４】
次に、上記構成において本実施形態の作動の要部を説明する。図５のフローチャートは空調用電子制御装置３１のマイクロコンピュータにより実行される制御処理の概要を示し、図５の制御ルーチンは、車載バッテリ（図示せず）から電源が供給されている状態において実行される。
【００８５】
先ず、ステップＳ１００にて、タイマー、フラグ等の初期化を行ったのち、ステップＳ２００にて、空調操作パネルの操作部材３２〜３５からの操作信号と、イグニッションスイッチ３６からの信号と、各センサ３７〜４０からの検出信号とを読み込む。
【００８６】
そして、ステップＳ３００にて、車両エンジンのイグニッションスイッチ３６がオン状態のとき、次のステップＳ４００に進む。ステップＳ４００では、オートスイッチ３３がオン状態にあるか否かを判定し、オートスイッチ３３がオン状態にあるとき、ステップＳ５００にて送風機１ｄを起動させる。
【００８７】
そして、ステップＳ６００にて、冷風側通路開閉手段１２及び温風側通路開閉手段１４を通常作動させる。即ち、冷風側開口部１３ａ及び温風側開口部１５ａの開度がそれぞれ目標開度ＳＷとなるように冷風側通路開閉手段１２及び温風側通路開閉手段１４を制御する。
【００８８】
具体的には、目標吹出温度（ＴＡＯ）に基づいて、冷風側通路開閉手段１２及び温風側通路開閉手段１４の開度をそれぞれ調整する。
【００８９】
目標吹出温度（ＴＡＯ）が低温側である最大冷房時には、冷風側通路開閉手段１２の冷風側巻き取りシャフト１８が冷風側開口部１３ａの全開位置に回転移動し、温風側通路開閉手段１４の温風側巻き取りシャフト２４が温風側開口部１５ａの全閉位置に回転移動する。これにより、冷風側通路１１を通過する冷風の量が最大となるとともに、温風側通路２１を通過する温風が遮断されるので、吹出温度を低くすることができる。
【００９０】
一方、目標吹出温度（ＴＡＯ）が高温側である最大暖房時には、冷風側巻き取りシャフト１８が冷風側開口部１３ａの全閉位置に回転移動し、温風側巻き取りシャフト２４が温風側開口部１５ａの全開位置に回転移動する。これにより、冷風側通路１１を通過する冷風が遮断されるとともに、温風側通路２１を通過する温風の量が最大となるので、吹出温度を高くすることができる。
【００９１】
目標吹出温度（ＴＡＯ）ｔが中間値のときは、冷風側巻き取りシャフト１８及び温風側巻き取りシャフト２４が冷風側開口部１３ａ及び温風側開口部１５ａの中間開度位置に回転移動することにより、吹出温度を調整することができる。
【００９２】
ところで、ステップＳ４００において、エアコンスイッチ３２がオフ状態にあるときは、ステップＳ７００にてブロワスイッチ３４がオン状態にあるか否かを判定する。ブロワスイッチ３４がオン状態にあるときは、ステップＳ５００に進み送風機１ｄを起動させたのち、ステップＳ６００にて、冷風側通路開閉手段１２及び温風側通路開閉手段１４を通常作動させるようになっている。
【００９３】
このとき、オートスイッチ３３がオフされているので、空調自動制御状態ではなく、温度調整等を手動で行う手動調整状態となっている。このため、冷風側通路開閉手段１２及び温風側通路開閉手段１４の開度は、目標吹出温度（ＴＡＯ）に代わり温度設定スイッチ３５による温度設定信号Ｔｓｅｔに基づいて、それぞれ調整される。
【００９４】
即ち、温度設定信号Ｔｓｅｔが低温側である最大冷房時には、冷風側通路開閉手段１２の冷風側巻き取りシャフト１８が冷風側開口部１３ａの全開位置に回転移動し、温風側通路開閉手段１４の温風側巻き取りシャフト２４が温風側開口部１５ａの全閉位置に回転移動する。これにより、冷風側通路１１を通過する冷風の量が最大となるとともに、温風側通路２１を通過する温風が遮断されるので、吹出温度を低くすることができる。
【００９５】
一方、温度設定信号Ｔｓｅｔが高温側である最大暖房時には、冷風側巻き取りシャフト１８が冷風側開口部１３ａの全閉位置に回転移動し、温風側巻き取りシャフト２４が温風側開口部１５ａの全開位置に回転移動する。これにより、冷風側通路１１を通過する冷風が遮断されるとともに、温風側通路２１を通過する温風の量が最大となるので、吹出温度を高くすることができる。
【００９６】
温度設定信号Ｔｓｅｔが中間値のときは、冷風側巻き取りシャフト１８及び温風側巻き取りシャフト２４が冷風側開口部１３ａ及び温風側開口部１５ａの中間開度位置に回転移動することにより、吹出温度を調整することができる。
【００９７】
ところで、ステップＳ７００において、ブロワスイッチ３４がオフ状態にあるときは、ステップＳ８００にて、送風機１ｄを停止させる。
【００９８】
そして、ステップＳ９００にて、本発明の特徴的な作動を実行する。即ち、ステップＳ９００にて、冷風側巻き取りシャフト１８及び温風側巻き取りシャフト２４が冷風側開口部１３ａ及び温風側開口部１５ａの全閉位置に回転移動するように、冷風側巻き取り軸駆動機構１９及び温風側巻き取り軸駆動機構２５のサーボモータ３０を制御する。
【００９９】
図６は、このときの温風側通路開閉手段１４における温風側巻き取りシャフト２４の作動を模式的に示した説明図である。なお、このときの冷風側通路開閉手段１２における冷風側巻き取りシャフト１８の作動は、温風側巻き取りシャフト２４の作動と同様であるので、図６中の括弧内に冷風側通路開閉手段１２に対応する符号を付し、説明を省略する。
【０１００】
図６において、温風側巻き取りシャフト２４の実線位置は、温風側巻き取りシャフト２４が全閉位置に回転操作された状態を示し、２点鎖線位置は、その直前の状態（即ち、送風機１ｄが停止したときの状態）における温風側巻き取りシャフト２４の位置の一例を示している。
【０１０１】
送風機１ｄが停止していると判断したときは、温風側巻き取りシャフト２４が２点鎖線位置から実線位置（全閉位置）に回転操作されるので、温風側膜状部材２２が全て、温風側巻き取りシャフト２４から送り出されて引き延ばされる。
【０１０２】
また、ステップＳ３００において、イグニッションスイッチ３６がオフ状態にあるときも同様に、ステップＳ８００に進み送風機１ｄを停止させたのち、ステップＳ９００にて、冷風側巻き取りシャフト１８及び温風側巻き取りシャフト２４が冷風側開口部１３ａ及び温風側開口部１５ａの全閉位置に回転移動するように、冷風側巻き取り軸駆動機構１９及び温風側巻き取り軸駆動機構２５のサーボモータ３０を制御する。
【０１０３】
即ち、本実施形態では、ブロワスイッチ３４がオフまたはイグニッションスイッチ３６がオフされたときに、送風機１ｄを停止させたのち、膜状部材１６、２２を引き延ばすようになっている。
【０１０４】
このため、送風機１ｄが停止している間、換言すれば、冷風側通路開閉手段１２及び温風側通路開閉手段１４が開口部１３ａ、１５ａを開閉する必要がない間に、膜状部材がヒータコアの予熱や周囲の温度変化等を受けて膜状部材に巻き癖（転写）が発生することを抑制することができる。
【０１０５】
この結果、膜状部材１６、２２の巻き癖（転写）に起因する空気洩れや異音の発生という不具合を回避することができる。
【０１０６】
（第２実施形態）
上記第１実施形態では、ブロワスイッチ３４がオフまたはイグニッションスイッチ３６がオフされたときに、膜状部材１６、２２を引き延ばすようになっているが、本第２実施形態では、図７に示すように、イグニッションスイッチ３６がオフされたときのみ、膜状部材１６、２２を引き延ばすようにする。
【０１０７】
図７は、本実施形態における制御処理のフローチャートを示している。図７のフローチャートのうち、第１実施形態と同一のステップについては、第１実施形態と同一の符号を付し、説明を省略する。
【０１０８】
本実施形態では、ステップＳ７００において、ブロワスイッチ３４がオフ状態のときは、ステップＳ７１０に進み、送風機１ｄを停止させるのみで、膜状部材１６、２２を引き延ばさない。一方、ステップＳ３００において、イグニッションスイッチ３６がオフ状態にあるときは、第１実施形態と同様に、ステップＳ８００に進み送風機１ｄを停止させたのち、ステップＳ９００にて、膜状部材１６、２２を引き延ばす。
【０１０９】
即ち、ブロワスイッチ３４がオフされて送風機１ｄが停止しても、イグニッションスイッチ３６がオン状態にあって車両エンジンが作動しているとき、換言すれば、車両が使用されているときは、短時間後に送風機１ｄを再作動させる場合がある。
【０１１０】
このような場合、送風機１ｄが停止したときに、巻き取りシャフト１８、２４が開口部１３ａ、１５ａの全閉位置に移動して膜状部材１６、２２を引き延ばしてしまっていると、巻き取りシャフト１８、２４を元の位置に復帰させるのに時間がかかり、速やかに所望温度の空調風を吹き出すことができない。
【０１１１】
この点に鑑みて、本実施形態では、送風機１ｄが停止しているときであっても、車両エンジンが作動しているときは、膜状部材１６、２２を引き延ばさないようにしている。このため、短時間後に送風機１ｄを再作動させたときに、速やかに所望温度の空調風を吹き出すことができる。
【０１１２】
（第３実施形態）
上記第２実施形態では、イグニッションスイッチ３６がオフされたときに、膜状部材１６、２２を引き延ばすようにするようになっているが、本第３実施形態では、図８に示すように、イグニッションスイッチ３６がオフされたとき、かつ、車載バッテリの電圧が所定値以上のときのみ、膜状部材１６、２２を引き延ばすようにする。
【０１１３】
図８は、本実施形態における制御処理のフローチャートを示している。図８のフローチャートのうち、第２実施形態と同一のステップについては、第２実施形態と同一の符号を付し、説明を省略する。
【０１１４】
本実施形態では、ステップＳ３００において、イグニッションスイッチ３６がオフ状態にあるときは、ステップＳ７２０にて、バッテリの電圧が所定値以上か否かを判断する。
【０１１５】
なお、空調用電子制御装置３１には、図示しないバッテリ電圧値検出手段からの検出信号が入力されるようになっており、このバッテリ電圧値検出手段からの検出信号に基づいてバッテリの電圧が所定値以上か否かを判断するようになっている。
【０１１６】
また、本例では、バッテリの電圧の上記所定値を８Ｖとしている。この所定値は、サーボモータ３０の作動の精度が保証される最低電圧値に応じて適宜設定すればよい。
【０１１７】
そして、バッテリの電圧が所定値以上のときは、第２実施形態と同様に、ステップＳ８００に進み送風機１ｄを停止させたのち、ステップＳ９００にて、膜状部材１６、２２を引き延ばす。
【０１１８】
一方、バッテリの電圧が所定値未満のときは、ステップＳ７１０に進み、送風機１ｄを停止させるのみで、膜状部材１６、２２を引き延ばさない。
【０１１９】
ところで、周知のように、車両エンジンが停止しているときは車両エンジンが発電を行わないので、バッテリが充電されない。このため、電力消費量が多い夏期等においては、車両エンジン停止時にバッテリの電圧が低下していることがある。
【０１２０】
一方、巻き取り軸駆動機構１９、２５のサーボモータ３０はバッテリから電源供給を受けるので、車両エンジンが停止してバッテリの電圧が低下しているときにサーボモータ３０を駆動して膜状部材１６、２２を引き延ばすと、バッテリの電圧不足によってサーボモータ３０の作動不良が発生することがある。
【０１２１】
この点に鑑みて、イグニッションスイッチ３６がオフされて車両エンジンが停止したときたとき、かつ、車載バッテリの電圧が所定値以上のときのみ、サーボモータ３０を駆動して膜状部材１６、２２を引き延ばすので、バッテリの電圧低下によるサーボモータ３０の作動不良の発生を回避することができる。
【０１２２】
（他の実施形態）
なお、上記各実施形態では、ステップＳ９００にて、巻き取りシャフト１８、２４を開口部１３ａ、１５ａの全閉位置に回転移動すると、膜状部材１６、２２を全て、巻き取りシャフト１８、２４から送り出して引き延ばすことによって、開口部１３ａ、１５ａを全閉しているが、開口部１３ａ、１５ａをほぼ全閉する状態にとどめてもよい。
【０１２３】
即ち、開口部１３ａ、１５ａをほぼ全閉する状態では、膜状部材１６、２２のごく一部が巻き取りシャフト１８、２４に巻き取られているため、このごく一部の巻き取られた部分に巻き癖が発生するが、ごく一部の巻き癖であれば実質的に空気洩れや異音が発生することはないからである。
【０１２４】
また、上記各実施形態では、オートスイッチ３３またはブロワスイッチ３４がオンされたときに送風機１ｄが起動し、ブロワスイッチ３４がオフまたは車両エンジンのイグニッションスイッチ３６がオフされたときに送風機１ｄが停止するようになっているが、これは送風機１ｄの起動、停止条件の一例を示したものに過ぎず、適宜変更が可能である。
【０１２５】
また、上記各実施形態では、、乗員が希望温度を設定するとその温度を保つように自動制御を行ういわゆるオートエアコンに本発明を適用しているが、乗員が温度調整等を手動で行ういわゆるマニュアルエアコンに本発明を適用してもよい。
【０１２６】
また、上記第２実施形態及び第３実施形態において、車速が一定以上に達したとき、外気導入モードに切り替えることによって、車両走行動圧（ラム圧）を利用して送風機１ｄを作動させることなく送風するようにしてもよい。
【０１２７】
また、上記各実施形態では、本発明における空気通路開閉装置を、車室内への吹出空気の温度調整手段に適用しているが、複数の吹出開口部を切替開閉する吹出口切替手段に適用してもよい。
【０１２８】
本発明における空気通路開閉装置を吹出口切替手段に適用する場合においては、空気通路への送風が停止したときのみならず、空気通路へ送風されているときであっても吹出開口部から空気を吹き出す必要がないとき、換言すれば、吹出開口部に空気を通過させる必要がないときに膜状部材を引き延ばすことによって、膜状部材が巻き取り状態で長時間放置されることを回避することができる。
【図面の簡単な説明】
【０１２９】
【図１】本発明の第１実施形態における空調ユニット部を示す模式的な断面図である。
【図２】図１におけるＢ−Ｂ断面図である。
【図３】図１における冷風側通路開閉手段の斜視図である。
【図４】本発明の第１実施形態における電気制御部の要部を示すブロック図である。
【図５】本発明の第１実施形態の作動の要部を示すフローチャートである。
【図６】本発明の第１実施形態の作動の模式的な説明図である。
【図７】本発明の第２実施形態の作動の要部を示すフローチャートである。
【図８】本発明の第３実施形態の作動の要部を示すフローチャートである。
【符号の説明】
【０１３０】
１５ａ…温風側開口部（開口部）、２１…温風側通路（空気通路）、
２２…温風側膜状部材（膜状部材）、２３…温風側固定シャフト（固定軸）、
２４…温風側巻き取りシャフト（巻き取り軸）。
【図１】
2007118752.tif 000003
【図２】
2007118752.tif 000004
【図３】
2007118752.tif 000005
【図４】
2007118752.tif 000006
【図５】
2007118752.tif 000007
【図６】
2007118752.tif 000008
【図７】
2007118752.tif 000009
【図８】
2007118752.tif 000010